(57)【特許請求の範囲】
【請求項１】
縦向きの設置姿勢で遊技に供されて機内の遊技盤内でパチンコゲームを展開し得ると共に、機裏側に装備された球容器(17)およびこの球容器(17)底面の下流端に開口する球出口(17a)に合わせた下部に取着される整流路部材(18)の各球通路(20,21)内に貯留されたパチンコ球を払出し装置(14)から払出し得るパチンコ遊技機において、
前記球容器(17)における下流端側の側壁(17b)に形成されて上方開口する係止溝(65)に、外面に突設した係止片(66)を係合して、該係止片(66)から側方に突出した突部(66a)で下流端側の側壁(17b)の外面に係止されると共に、球容器(17)における機裏と対向する側壁の内面に形成されて上方開口する係止溝(67)に、側面に突設した係止片(68)を係合して、球容器(17)に対して着脱可能に保持されて、前記球通路(20,21)に対応する幅広に形成した前記球出口(17a)の上側に臨むケース(26)に、
１つの検出部(42,46,81,85,86,91)を有して球補給部側に電気的に接続される検出手段(27,77,80,84)と、
並列状態で傾動可能に支持されて球有りに対する第１の位置と球無しに対する第２の位置とに変化し得、球受け部(53)および操作部(52)を有し、前記球出口(17a)を介して球受け部(53)を前記整流路部材(18)における各球通路(20,21)の上流部側に臨ませると共に、操作部(52)を検出手段(27,77,80,84)の検出部(42,46,81,85,86,91)に操作可能に臨ませて前記ケース(26)に取り付けられた付勢手段(29)により常には第２の位置に向けて付勢した２つの球感知操作部材(28,28)と、を夫々設け、
前記検出手段(27,77,80,84)、前記２つの球感知操作部材(28,28)および前記付勢手段(29)を１つのケース(26)を単位として取扱い得るよう構成し、
前記整流路部材(18)の各球通路(20,21)内に貯留されたパチンコ球の圧力を受けて双方の球感知操作部材(28,28)が第１の位置に保持されている状態では、各々の操作部(52)で前記検出手段(27,77,80,84)の検出部(42,46,81,85,86,91)を操作前に保持し、各球通路(20,21)の少なくとも一方のパチンコ球の減少によりその圧力から解放された当該側の球感知操作部材(28)が付勢手段(29)の付勢力により第２の位置に保持された状態では、その操作部(52)で検出手段(27,77,80,84)の検出部(42,46,81,85,86,91)を操作状態にして、検出手段(27,77,80,84)が球無しの検出信号を前記球補給部側へ発するように設定した
ことを特徴とするパチンコ遊技機における貯留球の検出装置。
【請求項２】
前記ケース(26)は、内部に前記検出手段(27,77,80,84)および前記２つの球感知操作部材(28,28)を横一列に収納設置し得る方形バケット状に樹脂成形されたカバー体(30)と、このカバー体(30)の開口部(31)に整合して内部を覆蓋する方形板状に樹脂成形された蓋体(37)とからなる中空箱体に形成され、
前記カバー体(30)は、内部略中央に一体成形され、前記検出手段(27)を両側から支持する支持片(32,32)に形成した溝(32a,32a)と、両側壁部に形成した軸孔(33,33)と、下方隅角部に形成した開口部(34)とを備え、
前記蓋体(37)の内面上方には、前記一対の支持片(32,32)の間に取付けた検出手段(27)を上方から保持する庇状の保持片(38)が一体成形され、
前記溝(32a,32a)、前記軸孔(33,33)および前記検出手段(27)における本体(43)の下隅角部に形成した通孔(44,44)に嵌挿する支軸(47)を、各球感知操作部材(28)に形成した支持孔(51)に貫通することで、両球感知操作部材(28,28)が検出手段(27)を挟んで上下縦向き状態で支持されると共に、前記開口部(34)を介して前記球受け部(53,53)がケース(26)の外方に延出される請求項１記載のパチンコ遊技機における貯留球の検出装置。
【請求項３】
前記ケース(26)の下壁部には、前記球出口(17a)を介して前記整流路部材(18)の外側に臨み、前記検出手段(27)に接続される配線(h)用の挿通孔(35)が形成されている請求項１または２記載のパチンコ遊技機における貯留球の検出装置。
【発明の詳細な説明】
【０００１】
【発明の属する技術分野】
この発明は、パチンコ遊技機における貯留球の検出装置に係り、更に詳しくは、パチンコ遊技機裏側の球貯留部内に貯留されたパチンコ球の貯留状況を検出する検出装置に関するものである。
【０００２】
【従来の技術】
パチンコ機やアレンジボール機に代表されるこの種の遊技機では、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対する賞品として、機裏側のセット盤に形成配置された球貯留供給部に貯留された所定数のパチンコ球を、払出し装置の作動のもとに機前側の球皿側へ供給するようになっている。前記球貯留供給部は、相当数のパチンコ球を貯留して供給し得る球容器(球タンク)と、この球タンクから供給された球を受入れて整列状態で流出し得る整流路部材(整流樋)および送出樋からなり、同送出樋の下流端に連設された前記払出し装置内に亘って収容された前記パチンコ球が、該払出し装置の作動毎に所定数単位の賞球として払出される。なお、球貸し用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して前記払出し装置が作動されることにより、所定数球が貸し球として払出されて上の球皿側へ給出されるようになっている。
【０００３】
そして前述した遊技機においては、払出し装置による賞球払出しおよび貸し球払出しにより、前記球貯留供給部内の有限貯留量の球が減少されることに対して、設置枠台側に設置されている球補給設備の駆動制御により、相当数のパチンコ球が前記球タンク内に新たに補充されるようになっている。すなわち何れの遊技機においても、球貯留供給部内の貯留球の減少,有無を検出するための手段として、前記球タンクの球出口に貯留球の検出装置が設置されている。この検出装置は、例えば基本的な具体例として、前記球タンク内の貯留球の球圧を受けて(感知して)変動する球感知部材と、この球感知部材の変位状態に対応して電気的にオン・オフ条件に作動変化して前記球補給設備の駆動制御部側に検出信号を入力し得るための検出手段(検出スイッチ)とから構成され、同装置が球減少を検出した場合には、「球無し,球減少」の検出信号が球補給部側へ入力されることに基いて、前記球補給設備の補給作動により新たなパチンコ球が球貯留供給部に向けて補充される。
【０００４】
【発明が解決しようとする課題】
ところで、前述したパチンコ遊技機(パチンコ機およびアレンジボール機)においては、球払出し条件として、多数個と少数個との賞球に対応する区分排出、賞球と貸し球との区分排出、多数個および少数個の賞球と貸し球との区分排出等の各区分排出形態が、必要に応じて実施されるようになっている。従って、これらの区分排出を実施可能にするには、前記球貯留供給部において、開口面域の大小異なる球出口を有する球タンクと、２列,３列,４列等の球通路に区分した前記整流樋とが、所要条件に合わせて必要となる。これに関連して前記検出装置にあっては、各球通路に対応する少なくとも２つの球感知部材と、各球感知部材に対応する２つの検出スイッチを必要とする形態であったため、検出装置全体が大型化すると共に構成部品点数が多くなって製作コストが嵩む欠点を内在していた。
【０００５】
【発明の目的】
本発明は、前述した課題を好適に解決するために新規に提案されたもので、球貯留部の整流路部材として、複数(具体的には、２列,３列,４列)の球通路を有して賞品球の区分貯留流出や賞品球と貸し球との区分貯留流出をなすことの前提にあって、各々の球通路内のパチンコ球の減少を好適に検出し得るようにした小型で安価な貯留球の検出装置を提供することを目的とする。
【０００６】
【課題を解決するための手段】
前記課題を克服し、所期の目的を好適に達成するため、本発明に係るパチンコ遊技機における貯留球の検出装置は、
縦向きの設置姿勢で遊技に供されて機内の遊技盤内でパチンコゲームを展開し得ると共に、機裏側に装備された球容器およびこの球容器底面の下流端に開口する球出口に合わせた下部に取着される整流路部材の各球通路内に貯留されたパチンコ球を払出し装置から払出し得るパチンコ遊技機において、
前記球容器における下流端側の側壁に形成されて上方開口する係止溝に、外面に突設した係止片を係合して、該係止片から側方に突出した突部で下流端側の側壁の外面に係止されると共に、球容器における機裏と対向する側壁の内面に形成されて上方開口する係止溝に、側面に突設した係止片を係合して、球容器に対して着脱可能に保持されて、前記球通路に対応する幅広に形成した前記球出口の上側に臨むケースに、
１つの検出部を有して球補給部側に電気的に接続される検出手段と、
並列状態で傾動可能に支持されて球有りに対する第１の位置と球無しに対する第２の位置とに変化し得、球受け部および操作部を有し、前記球出口を介して球受け部を前記整流路部材における各球通路の上流部側に臨ませると共に、操作部を検出手段の検出部に操作可能に臨ませて前記ケースに取り付けられた付勢手段により常には第２の位置に向けて付勢した２つの球感知操作部材と、を夫々設け、
前記検出手段、前記２つの球感知操作部材および前記付勢手段を１つのケースを単位として取扱い得るよう構成し、
前記整流路部材の各球通路内に貯留されたパチンコ球の圧力を受けて双方の球感知操作部材が第１の位置に保持されている状態では、各々の操作部で前記検出手段の検出部を操作前に保持し、各球通路の少なくとも一方のパチンコ球の減少によりその圧力から解放された当該側の球感知操作部材が付勢手段の付勢力により第２の位置に保持された状態では、その操作部で検出手段の検出部を操作状態にして、検出手段が球無しの検出信号を前記球補給部側へ発するように設定したことを特徴とする。
【０００７】
【作用】
検出装置は、整流路部材の各球通路に対応的に配設される２つの球感知操作部材と、１つの検出部を有する検出手段とから構成される。前記各球感知操作部材は、球受け部を対応の球通路に臨ませると共に、操作部を前記検出手段の検出部に臨ませた姿勢で配設され、貯留された貯留球の圧力を受けて前記検出部を操作しない第１の位置と、貯留球の減少により圧力から解放されて付勢手段の付勢力のもとに前記検出部を操作する第２の位置とに姿勢変化するようになっている。すなわち、各球感知操作部材の操作部が、１つの検出手段における検出部を共用し、別々に操作するよう構成されている。
【０００８】
従って、例えば前記整流路部材の各球通路内に多数の貯留球が貯留されている場合には、両球感知操作部材が共に第１の位置に変位して検出手段の操作部が操作されないから、該検出手段は球有りの信号を球補給部側へ入力する。そして、一方の球通路内の貯留球が減少した場合には、該球通路に対応した球感知操作部材が第２の位置に姿勢変位して検出手段の操作部を操作するから、該検出手段は球無しの信号を球補給部側へ入力し、これにより球補給設備からパチンコ球が供給される。また、他方の球通路内の貯留球が減少した場合には、該球通路に対応した球感知操作部材が第２の位置に姿勢変位して検出手段の操作部を操作するから、該検出手段は球無しの信号を球補給部側へ入力し、これにより球補給設備からパチンコ球が供給される。更に、両方の球通路内の貯留球が同時に減少した場合には、夫々の球通路に対応した両球感知操作部材が第２の位置に姿勢変位して検出手段の操作部を操作するから、同じく該検出手段は球無しの信号を球補給部側へ入力し、これにより球補給設備からパチンコ球が供給される。
【０００９】
【発明の実施の形態】
次に、本発明に係るパチンコ遊技機における貯留球の検出装置につき、好適な実施例を挙げて添付図面を参照しながら、以下詳細に説明する。なお本実施例では、機裏側の貯留パチンコ球を、パチンコゲーム中の入賞成立(セーフ球発生)に対する賞球として払出し得る一方、遊技用の球貸し操作に対する貸し球として払出し得るタイプのパチンコ機を例として示す。
【００１０】
そこで、先ず本実施例に係る貯留球の検出装置が実施されるパチンコ機について、図１,図２および図３を参照しながら要約説明する。本実施例のパチンコ機Ｐは、その基本的な構成として、固定用の外郭枠とされる外枠Ａの開口前面側に、開閉用の搭載枠とされる前枠Ｂが、連結支持手段および施錠手段等を利用して着脱および開閉可能に組付けられている。そして、この前枠Ｂの前面側には、遊技機共通用の構成部材である横開き式のガラス扉Ｄを組付けた窓枠Ｃと、このガラス扉Ｄの下部において窓枠Ｃに対して着脱および開閉可能に組付けられる開閉セット盤の前側にセットされた上球皿Ｅおよび裏側にセットされた電動式の球送り装置Ｇと、下段に位置する下球皿Ｆおよび打球発射装置Ｈ等が組付けられ、また後面側に機構セット盤Ｊが装備されている。また、前枠Ｂ裏側の収容枠体１の正面内部に、所要の遊技領域３を構成した遊技盤Ｉが着脱交換可能にセットされている。また、貸し球の払出し制御に必要とされる球貸しユニット(カバー式)Ｋは、パチンコ機Ｐの側方(外枠Ａの隣接部位)に設置されて各電子制御部と接続されている。
【００１１】
前記機構セット盤Ｊは、前記前枠Ｂ裏側に位置する前記遊技盤Ｉセット用の保持枠２の裏側に着脱可能に装備され、前記保持枠２に対応し得る方形サイズに樹脂成形された本体１０の中央部に遊技盤裏面の点検用の窓口１１が開口されて、これに裏カバー１２が開閉および着脱可能に取着されており、この窓口１１の外周囲部に球貯留供給部１３等が配設されている。また、この球貯留供給部１３の下端部に、カセット形態とされる電動制御式の払出し装置１４が設置される一方、この払出し装置１４の下方に賞球を上下の球皿Ｅ,Ｆへ排出する賞球排出経路１５が形成されており、前記球貯留供給部１３に貯留された所定数のパチンコ球が、払出し装置１４の作動により賞球として払出されるようになっている。なお、機構セット盤Ｊのその他の構成として、前記窓口１１の下方に、アウト球およびセーフ球そして抜出し球を機外へ排出する経路が形成される他に、球抜き装置,セーフ球検出処理装置,賞球満杯検出装置および貸し球用の検出スイッチ(何れも図示せず)が夫々設置され、そして本体１０の上方隅端部に球補給部を構成するターミナル基盤(集中基盤ともいう)Ｔが設置されている。
【００１２】
前記球貯留供給部１３は、機構セット盤Ｊの上部に外向き開口状態で凹部に合わせて設置される球容器(「球タンク」とも云う)１７と、この球容器１７底面の下流端に開口された球出口１７ａに合わせた下部に取着される斜状レール形の整流樋(整流路部材)１８と、この整流樋１８の下流端に連絡するように前記本体１０に形成された送出路１９とから構成され、相当量のパチンコ球を収容(貯留)し得るようになっている。なお実施例の整流樋１８は、図２,図５および図９に示すように、幅方向中央部で上方へ突出しかつ長手方向へ延在する仕切板１８ａにより、パチンコ球を２列整列状態で送出路１９へ送出案内する第１球通路２０および第２球通路２１とを並設した「４条タイプ」が例とされ、例えば第１球通路２０を賞球用、第２球通路２１を球貸し用として実施される。なお、これに伴い、球容器１７の前記球出口１７ａも、両球通路２０,２１に対応する幅広に開口形成され(図３参照)、また前記送出路１９も４条タイプとして形成される。
【００１３】
前述したパチンコ機にあって、本実施例に係る貯留球の検出装置２５は、１つのケース単位に構成されたもので、図４〜図７に示すように、前記球容器１７の側壁１７ｂに指先操作で着脱可能にセットされて、該球容器１７内の貯留球の減少,有無を好適に検出し得る。すなわち検出装置２５は、前記球容器１７に対して着脱可能に保持し得るケース２６に、１つの本体４３に１つのアクチュエータレバー(検出部)４２を有して球補給部側に電気的に接続される検出スイッチ(検出手段)２７と、並列状態で傾動可能に支持されて球有りに対する第１の位置と球無しに対する第２の位置とに姿勢変化する２つの球感知操作部材２８,２８と、この各球感知操作部材２８を常には第２の位置に付勢する板バネ(付勢手段)２９とから構成され、全体がカセット形態の球検出具として取扱い得るようになっている。そして、球容器１７にケース単位でセット保持したもとで、球感知操作部材２８を前記球出口１７ａ側へ臨ませ、前記検出スイッチ２７に接続した配線ｈを前記ターミナル基盤Ｔにおける球補給情報端子部(球補給情報部)側に接続している。
【００１４】
前記ケース２６は、内部に前記検出スイッチ２７および球感知操作部材２８を横一列に収納設置し得る方形バケット状に樹脂成形されたカバー体３０と、このカバー体３０の開口部３１に整合して内部を覆蓋する方形板状に樹脂成形された蓋体３７とから構成され、互いに整合する蓋体３７の通孔３７ａとカバー体３０のビス孔３０ａとの間にビス(図示せず)を締付けることにより中空箱体に形成される。前記カバー体３０では、前記検出スイッチ２７を両側から支持する支持片３２,３２が内部略中央に一体成形され、該検出スイッチ２７および両球感知操作部材２８を貫通支持する支軸４７用の軸孔３３,３３が両側壁部に形成されている。また、前記各球感知操作部材２８の球受け部５３をケース外方へ延出させる横長の開口部３４が下方隅角部に形成されると共に、前記検出スイッチ２７に接続される配線ｈ用の挿通孔３５が下壁部に形成されている。一方、前記蓋体３７では、カバー体３０の支持片３２,３２間にセットされた前記検出スイッチ２７を上方から保持する庇状の保持片３８が内面上方に一体成形され、前記球容器１７の側壁１７ｂに形成した凹部１７ｃに整合するＬ形鉤状のフック３９が上縁部から外方へ延出した状態に形成されている。また、略Ｊ形に成形した前記板バネ２９,２９をビス着するためにボス４０,４０が、内面中央で左右に所定間隔をおいて突設されている。なお前記支持片３２,３２には、支軸４７の挿通を許容する溝３２ａが形成されている。
【００１５】
前記検出スイッチ２７は、例えば図２４に略示するように、検出部としてのアクチュエータレバー４２および接点４６を有する常開タイプのマイクロ(リミット)スイッチが使用されて、前記球感知操作部材２８における各操作部５２,５２の直接操作により、該アクチュエータレバー４２が弾性付勢力をもって出没変位してオン・オフするように設定されている。すなわちこの検出スイッチ２７は、図２４(ａ)のように、球感知操作部材２８の操作部５２によるアクチュエータレバー４２の操作前では接点４６が開いて電流がオフとなり、一方の球感知操作部材２８の操作部５２がアクチュエータレバー４２を操作している状態では、接点４６が閉じて電流がオン状態となり(図２４(ｂ)参照)、球無し信号が発信される。そして、この検出スイッチ２７における本体４３の上下隅角部には通孔４４,４４が形成されており、該スイッチ２７を前記カバー体３０にセットした際に下隅角部の通孔４４に前記支軸４７が貫通するようになっている。また、前記ターミナル基盤Ｔの所定位置に電気的に接続される配線ｈが前記挿通孔３５を介して端子４５に接続されると共に、このターミナル基盤Ｔの球補給情報端子部に球補給設備の駆動部を制御するホールコンピュータが接続されており、検出スイッチ２７からの球無し信号(スイッチのオン信号)に基いて球補給設備が駆動されて、パチンコ球が球容器１７内に投入される。
【００１６】
前記球感知操作部材２８,２８は、図７および図８に示すように、前記支軸４７に上下縦向き状態で支持され、該支軸４７が貫通する支持孔５１を形成したボス部５０を中心にして、このボス部５０から上方へ延出して前記検出スイッチ２７のアクチュエータレバー４２を押圧する倒立Ｌ形の操作部５２と、前記ボス部５０から下方へ延出して貯留球の圧力を受ける球受け部５３と、前記ボス部５０から側方へ延出して前記板バネ２９に係合する係止部５４とが一体成形されている。なお説明の便宜上、図８において、右側を第１球感知操作部材２８Ａとすると共に左側を第２球感知操作部材２８Ｂとし、これら第１,第２球感知操作部材２８Ａ,２８Ｂは、前記検出スイッチ２７を挟んで左右対称形状に形成され、夫々の操作部５２における水平延出部が対向的に近接して、検出スイッチ２７の前記アクチュエータレバー４２の前面に臨んでいる。なお前記支軸４７は、前記カバー体３０に嵌挿した際に、その一端に形成したフランジ４７ａと他端に形成した溝４７ｂに係着されるＥリング４８により、抜止め防止が図られている。
【００１７】
前記板バネ２９は、側面Ｊ形に成形されると共にその一端側に取着孔２９ａが形成され、この取着孔２９ａを介してビス４９を前記各ボス４０,４０に締付けることにより、係止端２９ｂ側を水平に延出させた姿勢で蓋体３７に固定され、係止端２９ｂを上下方向へ弾性変形させ得る。これら板バネ２９,２９を固定した前記蓋体３７を前記カバー体３０へビス着することにより、各板バネ２９,２９は、前記第１球感知操作部材２８Ａおよび第２球感知操作部材２８Ｂへ対応的に臨み、その係止端２９ｂが係止部５４の上方へ延出して適宜係着した状態となる(図７参照)。すなわち各板バネ２９は、自体の復帰弾力により対応の球感知操作部材２８Ａ,２９Ｂにおける係止部５４を常には下方へ押圧するように設定されており、球感知操作部材２８Ａ,２９Ｂは支軸４７を中心として図１１における反時計方向へ揺動付勢されている。
【００１８】
前述のように構成された本実施例の検出装置２５は、図４に示すように、前記球容器１７の側壁１７ｂに対して上方から差込んで凹部１７ｃとフック３９とを整合させたセット保持状態にあって、前記ケース２６の背面が球容器１７の球出口１７ａに対する垂直案内面として機能し、また第１球感知操作部材２８Ａの球受け部５３が前記第１球通路２０へ臨み、第２球感知操作部材２８Ｂの球受け部５３が前記第２球通路２１へ臨むようになる(図５および図９参照)。このもとで貯留球検出例として、球容器１７内の貯留球が球出口１７ａから整流樋１８の上端部に供給される過程において、両球感知操作部材２８Ａ,２８Ｂの球受け部５３が貯留球の当接による圧力を受けている状態においては、図１０に示すように、係止部５４に対する板バネ２９の付勢力に抗して各球感知操作部材２８Ａ,２８Ｂが支軸４７を中心として図示時計方向へ揺動し、検出スイッチ２７のアクチュエータレバー４２に対する非操作状態である第１の位置に変位し「球有り(オフ)条件」とされる(図２４(ａ)参照)。また、両球感知操作部材２８Ａ,２８Ｂの球受け部５３が貯留球の当接による球圧を受けていない状態においては、図１１に示すように、係止部５４に対する板バネ２９の付勢力のもとに各球感知操作部材２８Ａ,２８Ｂが支軸４７を中心として図示反時計方向へ揺動し、検出スイッチ２７のアクチュエータレバー４２を押圧した操作状態である第２の位置に変位して「球無し(オン)条件」となるよう設定されている(図２４(ｂ)参照)。
【００１９】
また実施例の検出装置２５では、前述すると共に図７および図９に示すように、第１球感知操作部材２８Ａと第２球感知操作部材２８Ｂにおける各操作部５２の水平延出部が、検出スイッチ２７の１つのアクチュエータレバー４２へ作用するようになっている。従って、球容器１７内のパチンコ球の減少により、例えば第２球通路２１側にパチンコ球が無くなった際には、対応の第２球感知操作部材２８Ｂが板バネ２９の付勢のもとに第２の位置へ揺動変位し、検出スイッチ２７のアクチュエータレバー４２が操作状態となって「球無し条件」となる(図８参照)。またこれとは逆に、第１球通路２０側にパチンコ球が無くなった際には、対応の第１球感知操作部材２８Ａが板バネ２９の付勢のもとに第２の位置へ揺動変位し、検出スイッチ２７のアクチュエータレバー４２が同じく操作状態となって「球無し条件」となる。
【００２０】
【実施例の作用】
次に、前述のように構成された本実施例に係るパチンコ遊技機における貯留球の検出装置の作用につき説明する。
【００２１】
本実施例の検出装置２５は、方形バケット状に樹脂成形されたカバー体３０側に、検出スイッチ２７と第１球感知操作部材２８Ａおよび第２球感知操作部材２８Ｂを並列に位置決めし、直列に整合した該カバー体３０の軸孔３３,３３、各球感知操作部材２８Ａ,２８Ｂの支持孔５１,５１、検出スイッチ２７の通孔４４の間に前記支軸４７を嵌挿させる。そして、検出スイッチ２７の配線ｈを挿通孔３５に位置させた状態で、前記板バネ２９,２９をビス着した蓋体３７を前記カバー体３０の開口部３１に整合させてビス着することにより、ケース単位にユニット化される。すなわち、パチンコ機Ｐに搭載される１つのユニット部材として別工程で製造および組立てが行なわれ、パチンコ機Ｐの組立て製造ラインに合わせて管理されると共に取扱われる。
【００２２】
前述のように組立てられた検出装置２５では、前記カバー体３０側の支持片３２,３２と蓋体３７側の保持片３８および支軸４７により、前記検出スイッチ２７ががたつきのない状態で好適に固定される。また、カバー体３０に支持された支軸４７により、前記第１球感知操作部材２８Ａおよび第２球感知操作部材２８Ｂが揺動変位可能に支持される。なお、第１球感知操作部材２８Ａおよび第２球感知操作部材２８Ｂにおいては、対応の板バネ２９の付勢により第２の位置に揺動変位しており、検出スイッチ２７のアクチュエータレバー４２に対する操作状態となっている。
【００２３】
そして本実施例の検出装置２５は、前記機構セット盤Ｊの本体１０にビス着した球容器１７の側壁１７ｂに対して上方から差込んで凹部１７ｃとフック３９とを整合させることで、ケース２６の背面が球容器１７の球出口１７ａに対する垂直案内面として機能し、また第１球感知操作部材２８Ａの球受け部５３が前記第１球通路２０へ臨み、第２球感知操作部材２８Ｂの球受け部５３が前記第２球通路２１へ臨んだ状態にセットされる(図５および図９参照)。なお前記フック３９は、適宜弾性変形しながら側壁１７ｂに係着されるので、検出装置２５全体ががたつくことなく球容器１７に固定される。しかも本実施例では、上方へ開口した球容器１７へ検出装置２５を嵌込む形態であるから、該球容器１７の側壁１７ｂに対する検出装置２５のセット作業は、機構セット盤Ｊに対する球容器１７および整流樋１８の組付け順に全く制約されることはない。すなわち、機構セット盤Ｊに球容器１７および整流樋１８を取着した後に検出装置２５を側壁１７ｂにセットすることが可能であり、また球容器１７に前もって検出装置２５をセットした後に、該球容器１７および整流樋１８を取着することも可能であり、組付け作業工程の合理化や作業時間の短縮化等を好適に図り得る。
【００２４】
また、前記検出スイッチ２７に接続して挿通孔３５から引出された配線ｈは、ターミナル基盤Ｔの所定位置にコネクタ接続することにより、球補給情報端子部に回路接続される。これにより、検出装置２５の検出スイッチ２７とホールコンピュータとが前記球補給情報端子部を介して接続され、球容器１７内の貯留球の減少・有無による該検出装置２５のオン・オフ信号がホールコンピュータ側に入力される。
【００２５】
図示しない球補給設備からパチンコ球が供給される前、すなわち球容器１７内に貯留球が全く無い状態においては、球受け部５３に貯留球の圧力を受けないので、第１球感知操作部材２８Ａおよび第２球感知操作部材２８Ｂは、対応の板バネ２９による付勢力のもとに第２の位置に保持されて、操作部５２が検出スイッチ２７側へ変位してアクチュエータレバー４２に対する操作状態となって「球無し(オン)条件」とされる(図１１参照)。従って、検出スイッチ２７からの球無し信号が、球補給情報端子を介してホールコンピュータ側へ入力されるので、これに基いて球補給設備が駆動されてパチンコ球が球容器１７内へ投入される。
【００２６】
球補給設備から球容器１７内へ供給されたパチンコ球は、底面上を転動しながら球出口１７ａ側へ移動し、整流樋１８の第１球通路２０および第２球通路２１へ流入し、送出路１９の下端部から順次貯留される。そして、送出路１９から整流樋１８に亘って順次貯留されたパチンコ球は、第１球通路２０および第２球通路２１の上流部から球容器１７の球出口１７ａを介して球容器１７内へ貯留されるに至る。この際に、球出口１７ａ付近に貯留されたパチンコ球の重量により、第１球通路２０および第２球通路２１の上端部に貯留したパチンコ球が検出装置２５側へ押され、各球受け部５３に圧力が加わる。これにより、第１球感知操作部材２８Ａおよび第２球感知操作部材２８Ｂは、図１０,図１２および図１５に示すように、板バネ２９の付勢力に抗して共に第１の位置へ揺動変位し、検出スイッチ２７のアクチュエータレバー４２が非操作状態となって「球有り(オフ)条件」とされる(図２４(ａ)参照)。従って、検出スイッチ２７からの球有り信号が、球補給情報端子部を介してホールコンピュータ側に入力される。
【００２７】
そして、整流樋１８の第１球通路２０へ送出されたパチンコ球が賞球として前記払出し装置１４から払出され、第２球通路２１へ送出されたパチンコ球が貸し球として該払出し装置１４から払出される前提において、例えば図１３および図１６に示すように、前記球貸しユニットＫにより多数個の貸し球が払出されて第２球通路２１側の貯留球が先に減少した場合には、第２球感知操作部材２８Ｂの球受け部５３が貯留球の圧力から解放されるので、該第２球感知操作部材２８Ｂが板バネ２９の付勢力のもとに第２の位置に変位し、検出スイッチ２７のアクチュエータレバー４２が該部材２８Ｂの操作部５２により操作状態となって「球無し(オン)条件」とされる(図２４(ｂ)参照)。従って、検出スイッチ２７からの球無し信号が、球補給情報端子部を介してホールコンピュータ側に入力され、これに基いて球補給設備が駆動されてパチンコ球が球容器１７内へ投入される。そして、貯留球の増加により第２球感知操作部材２８Ｂの球受け部５３に球圧が再び付加されると、該球感知操作部材２８Ｂは第１の位置に揺動変位するので「球有り(オフ)条件」となる。
【００２８】
また、遊技盤Ｉにおける遊技により多数個の賞球が払出されて第１球通路２０側の貯留球が先に減少した場合には、図１４および図１７に示すように、第１球感知操作部材２８Ａの球受け部５３が貯留球の圧力から解放されるので、該第１球感知操作部材２８Ａが板バネ２９の付勢力のもとに第２の位置に変位し、検出スイッチ２７のアクチュエータレバー４２が該部材２８Ａの操作部５２により操作状態となって「球無し(オン)条件」とされる。従って、検出スイッチ２７からの球無し信号が、球補給情報端子部を介してホールコンピュータ側に入力され、これに基いて球補給設備が駆動されてパチンコ球が球容器１７内へ投入される。そして、貯留球の増加により第１球感知操作部材２８Ａの球受け部５３に圧力が再び付加されると、該球感知操作部材２８Ａは第１の位置に揺動変位するので「球有り(オフ)条件」となる。
【００２９】
更に、球容器１７内の貯留球が減少した際に、第１球通路２０と第２球通路２１の貯留球が同時に減少した場合には、第１球感知操作部材２８Ａの球受け部５３が貯留球の球圧から解放されると共に、第２球感知操作部材２８Ｂの球受け部５３も貯留球の球圧から解放されるので、両球感知操作部材２８Ａ,２８Ｂが板バネ２９の付勢力のもとに第２の位置に同時に揺動変位し、検出スイッチ２７のアクチュエータレバー４２が両部材２８Ａ,２８Ｂの操作部５２,５２により操作状態となって「球無し(オン)条件」とされる。従って、検出スイッチ２７からの球無し信号が、球補給情報端子部を介してホールコンピュータ側に入力され、これに基いて球補給設備が駆動されてパチンコ球が球容器１７内へ投入される。そして、貯留球の増加により第１球感知操作部材２８Ａの球受け部５３および第２球感知操作部材２８Ｂの球受け部５３の両方に圧力が再び付加されると、両球感知操作部材２８Ａ,２８Ｂは共に第１の位置に揺動変位するので「球有り(オフ)条件」となる。
【００３０】
このように本実施例の検出装置２５では、整流樋１８における２つの整流路、すなわち第１整流路２０および第２整流路２１に送出されるパチンコ球の減少・有無を、１つの検出スイッチ２７で検出して球有りおよび球無しの信号を球補給情報端子部へ入力するよう構成したので、第１整流路２０の球の減少・有無を検出する検出スイッチと、第２整流路２１の球の減少・有無を検出する検出スイッチとを装備した従来の検出装置と比較して、小型コンパクトに構成される。また、検出スイッチを１つとしたことによる構成部品点数の削減に伴い、製作コストの低減も図られる。
【００３１】
本実施例の検出装置２５では、球容器１７の側壁１７ｂに対してフック３９を係止しただけで取着されているので、ケース２６を上方へ引上げれば該球容器１７から容易に取外すことが可能である。従って、検出装置２５の点検や修理等においては、各球感知操作部材２８Ａ,２８Ｂや検出スイッチ２７を個別に取外したり取付けることは勿論、球容器１７や整流樋１８の脱着を必要としないから、メンテナンス作業時間の短縮化や作業の合理化を図り得る。
【００３２】
【第１変更例】
図１８および図１９は、幅方向の所要位置で上方へ突出しかつ長手方向へ延在する仕切板１８ａにより、パチンコ球を２列整列状態で送出路１９へ送出案内する第１球通路２０と、パチンコ球を１列状態で送出路１９へ送出案内する第２球通路２１とを並設した「３条タイプ」の整流樋１８が例とされ、例えば第１球通路２０を賞球用、第２球通路２１を球貸し用として実施されている。これに伴い、第１変更例に係る検出装置６０では、検出スイッチ２７および第１球感知操作部材２８Ａが前記実施例と同一のものが実施され、第２球感知操作部材２８Ｂは、球受け部５３が第２球通路２１に対応した幅狭に形成されると共に、これによりボス部５０も適宜幅狭となっている。なお第２球感知操作部材２８Ｂでは、操作部５２や係止部５４等は前記実施例のものと同一形状に形成されており、また検出装置６０の基本的な作動形態も前記検出装置２５と全く同一である。なおケース２６も、前記第２球感知操作部材２８Ｂの幅寸法の変更により適宜幅狭となっている。
【００３３】
【第２変更例】
また図２０および図２１は、パチンコ球を１列状態で送出路１９へ送出案内する第１球通路２０および第２球通路２１とを並設した「２条タイプ」の整流樋１８が例とされ、例えば第１球通路２０を賞球用、第２球通路２１を球貸し用として実施されている。これに伴い、第２変更例に係る検出装置６１では、検出スイッチ２７が前記実施例と同一のものが実施され、第１球感知操作部材２８Ａおよび第２球感知操作部材２８Ｂは、球受け部５３が流通路２０,２１に対応した幅狭に形成されると共に、これに伴いボス部５０も適宜幅狭となっている。なお、第１球感知操作部材２８Ａおよび第２球感知操作部材２８Ｂでは、操作部５２や係止部５４等は前記実施例のものと同一形状に形成されており、また検出装置６１の基本的な作動形態も前記検出装置２５と全く同一である。なおケース２６も、第１球感知操作部材２８Ａおよび第２球感知操作部材２８Ｂの幅寸法の変更により適宜幅狭となっている。
【００３４】
また図２２は、球容器１７に対する検出装置２５の取着形態の変更例を示すもので、第１係合部６３と第２係合部６４の各係合作用下に、検出装置２５が球容器１７の側壁１７ｂに係止されるようになっている。すなわち、第１係合部６３は、球容器１７の側壁１７ｂに係止した上方開口した係止溝６５と、検出装置２５の蓋体３７の外面に突設した係止片６６から構成され、該係止片６６が係止溝６５に対して上方から係合する形態となっている。なお係止片６６には、側方へ突出した突部６６ａが一体成形してあり、この突部６６ａと側壁１７ｂとの係止により検出装置２５が球容器１７の内側へ変位しないよう規制する。また第２係合部６４は、球容器１７の側壁内側に形成した上方開口の係止溝６７と、検出装置２５のカバー体３０の側面に突設した係止片６８とから構成され、該係止片６８が係止溝６７に対して上方から係合する形態となっている。このように構成することにより、第１係合部６３における係止溝６５と係止片６６の係合と、第２係合部６４における係止溝６７と係止片６８との係合下に、検出装置２５は球容器１７に対してがたつきのない状態で好適に取着固定される。
【００３５】
更に図２３は、ケース２６に対する検出スイッチ２７の取着変更例と、球感知操作部材２８に対する付勢手段の形態変更例を総合的に図示した説明図である。すなわち検出スイッチ２７については、蓋体３７の内面に取付片７０を形成することを前提として、この取付片７０の一側面側にスイッチ２７を位置決めして他側面側からビス７１を前記通孔４４へねじ込むことにより、該蓋体３７側へ取着するものであり、この場合も検出スイッチ２７はケース２６に好適に固定される。また付勢手段に関しては、前記実施例に示した蓋体３７側へ取着する板バネ２９の他に、カバー体３０の下端偶角部にＪ形に成形した板バネ７２を配設し、この板バネ７２の係止端７２ａを前記球感知操作部材２８の球受け部５３の裏側に係合させる形態や、カバー体３０の下側内面と係止部５４との間にコイル状の引張りバネ７３を架設して該係止部５４を下方へ引張る形態も好適に実施し得る。更に図示しないが、前記支軸４７に捻りバネを配設して、カバー体３０と球感知操作部材２８との間に係着する形態としてもよい。
【００３６】
また検出手段に関しては、前記実施例に示した常開タイプの検出スイッチ２７の他に、図２５に示すように、常閉タイプの検出スイッチ７５としてもよい。すなわちこの検出スイッチ７５は、図２５(ａ)に示すように、球感知操作部材２８の操作部５２によるアクチュエータレバー４２の操作前では接点４６が閉じて電流がオンとなり、一方の球感知操作部材２８の操作部５２がアクチュエータレバー４２を操作している状態では、接点４６が開いて電流がオフ状態となり、これにより球無し信号が発信される。なお常開、常閉の何れのタイプの検出スイッチ２７であっても、アクチュエータレバー４２の位置および前記操作部５２,５２の位置を変更することで、前記板バネ２９の付勢力のもとに各球感知操作部材２８Ａ,２８Ｂの操作部５２,５２が、検出スイッチ２７のアクチュエータレバー４２から離間して第２の位置に変位したときに、「球無し条件」となるよう設定してもよい。そしてこの構成では、検出スイッチ２７のアクチュエータレバー４２を操作部５２,５２が押圧したときに、「球有り条件」となる。
【００３７】
更に検出手段に関しては、図２６に示すリードスイッチタイプ、図２７に示すホール素子タイプ、図２８に示すフォトセンサタイプ等も好適に実施し得る。このうちリードスイッチ７７は、図２６(ａ)に示すように、各球感知操作部材２８の操作部５２に磁石７８を取付け、該球感知操作部材２８が貯留球の圧力により第１の位置にあって操作部５２(磁石７８)が、リードスイッチ７７の本体７７に配設した検出部としての接点９１から離間している時は該接点９１が開いて電流がオフとなり、図２６(ｂ)に示すように、何れか一方の球感知操作部材２８が貯留球の減少により第２の位置に変位して操作部５２(磁石７８)が接点９１に近接した時は、該接点９１が閉じて電流がオン状態となり、球無し信号が発信される。
【００３８】
また、前記ホール素子スイッチ８０は本体９３内部に検出部としてのホール素子８１を有し、各球感知操作部材２８の操作部５２に磁石８２を取付け、実線で示すように、該球感知操作部材２８が貯留球の圧力により第１の位置にあって操作部５２(磁石８２)がホール素子８１から離間している時は回路が開いて電流がオフとなり、２点鎖線で示すように、何れか一方の球感知操作部材２８が貯留球の減少により第２の位置に変位して操作部５２(磁石８２)がホール素子８１に近接した時は、回路が閉じて電流がオン状態となり、球無し信号が発信される。
【００３９】
更に、前記フォトセンサスイッチ８４は本体９５内部に、検出部としての発光部８５および受光部８６を有し、各球感知操作部材２８が貯留球の圧力により第１の位置にあって、操作部５２が発光部８５と受光部８６との間から離間している時は遮光されないので回路が閉じて電流がオンとなり、何れか一方の球感知操作部材２８が貯留球の減少により第２の位置に変位して操作部５２が発光部８５と受光部８６との間に臨んだ時は、遮光により回路が開いて電流がオフ状態となり、球無し信号が発信される。
【００４０】
なお、前記整流樋１８に関しては、前記実施例に例示した如く、第１流通路２０を賞球用として第２流通路２１を貸し球用とする区分排出の他に、第１流通路２０を多数個の賞球用として第２流通路２１を少数個の賞球用とする区分排出、または第１流通路２０を多数個および少数個の賞球用として第２流通路２１を貸し球用とする区分排出形態としてもよい。
【００４１】
【発明の効果】
以上説明した如く、本願の請求項１に係る発明のパチンコ遊技機における貯留球の検出装置では、整流路部材における２つの球通路内のパチンコ球の減少・有無を１つの検出手段で検出し、この検出手段からの球有り信号および球無し信号を球補給部側に入力するよう構成した。従って、夫々の球通路内における球の減少・有無を検出するための検出手段を個別に装備しないから、従来の検出装置と比較して小型コンパクトに構成し得る利点がある。また、検出手段を１つとしたことによる構成部品点数の削減に伴い、製作コストの低減も図り得る等の効果も奏する。
球容器に対して着脱可能に保持し得るケースに、検出手段と、並列状態で傾動可能に支持されて球有りに対する第１の位置と球無しに対する第２の位置とに姿勢変化する２つの球感知操作部材とを夫々設ける構成であるから、全体がカセット形態の球検出具として取扱い得、組付け作業工程の合理化や作業時間の短縮化等を好適に図り得る。更に、ケースを、球容器における下流端側の側壁に形成されて上方開口する係止溝に、外面に突設した係止片を係合して、該係止片から側方に突出した突部で下流端側の側壁の外面に係止されると共に、球容器における機裏と対向する側壁の内面に形成されて上方開口する係止溝に、側面に突設した係止片を係合する構成であるから、球容器に対してがたつきのない状態で好適に取着固定される。
請求項２に係る発明によれば、蓋体側の保持片、カバー体側の支持片および支軸により、検出手段をがたつきのない状態で好適に固定し得る。
【図面の簡単な説明】
【図１】本実施例のパチンコ機を示す概略正面図である。
【図２】本実施例のパチンコ機を示す概略背面図である。
【図３】本実施例のパチンコ機を一部破断して示す概略平面図である。
【図４】実施例に係る検出装置が配設された球容器および整流樋を一部破断して示すパチンコ機の上部位の背面図である。
【図５】球貯留供給部を含むパチンコ機の上部位の縦断側面図である。
【図６】実施例に係る検出装置の構成部材を分解状態で示す斜視図である。
【図７】実施例に係る検出装置の主要構成部品である検出スイッチ,球感知操作部材および板バネを組付け状態で示す斜視図である。
【図８】検出スイッチのアクチュエータレバーと球感知操作部材の操作部との位置関係を拡大して示す斜視図である。
【図９】球容器に取着した検出装置と整流樋とを一部破断して示す側面図である。
【図１０】球容器内に多数個の貯留球が貯留された状態において球知操作部材が第１の位置に変位している状態で示す検出装置の動作説明図である。
【図１１】球容器内の貯留球が減少した状態において球感知操作部材が第２の位置に変位している状態で示す検出装置の動作説明図である。
【図１２】整流路部材の第１球通路および第２球通路の両方に貯留球が貯留されて状態において、両球通路に対応の第１球感知操作部材および第２球感知操作部材が第１の位置に変位している検出装置の側面図である。
【図１３】整流路部材の第１球通路に貯留球が貯留されていると共に第２球通路に貯留球が無い状態において、第１球通路に対応の第１球感知操作部材が第２の位置に変位すると共に第２球感知操作部材が第１の位置に変位している検出装置の側面図である。
【図１４】整流路部材の第１球通路に貯留球が無いと共に第２球通路に貯留球が貯留されている状態において、第１球通路に対応の第１球感知操作部材が第１の位置に変位すると共に第２球感知操作部材が第２の位置に変位している検出装置の側面図である。
【図１５】整流路部材の第１球通路および第２球通路の両方に貯留球が貯留されている状態において、両球通路に対応の第１球感知操作部材および第２球感知操作部材が第１の位置に変位し、検出スイッチのアクチュエータレバーが非操作状態となっている検出装置の平面図である。
【図１６】整流路部材の第１球通路に貯留球が貯留されていると共に第２球通路に貯留球が無い状態において、第１球感知操作部材が第２の位置に変位すると共に第２球感知操作部材が第１の位置に変位し、検出スイッチのアクチュエータレバーが操作状態となっている検出装置の平面図である。
【図１７】整流路部材の第１球通路に貯留球が無いと共に第２球通路に貯留球が貯留されている状態において、第２球感知操作部材が第２の位置に変位すると共に第１球感知操作部材が第１の位置に変位し、検出スイッチのアクチュエータレバーが操作状態となっている検出装置の側面図である。
【図１８】変更例に係る検出装置の主要構成部材である検出スイッチ,球感知操作部材および板バネを分解状態で示す斜視図である。
【図１９】変更例に係る検出装置と整流樋とを一部破断して示す側面図である。
【図２０】別の変更例に係る検出装置の主要構成部材である検出スイッチ,球感知操作部材および板バネを分解状態で示す斜視図である。
【図２１】別の変更例に係る検出装置と整流樋とを一部破断して示す側面図である。
【図２２】球容器に対する検出装置の取着形態の別例を示す斜視図である。
【図２３】検出スイッチの配設変更例および付勢手段の形態変更例を総合的に示す説明図である。
【図２４】検出手段として実施される常開タイプの検出スイッチの概略構成図である。
【図２５】検出手段として実施し得る常閉タイプの検出スイッチの概略構成図である。
【図２６】検出手段として実施し得るリードスイッチの概略構成図である。
【図２７】検出手段として実施し得るホール素子スイッチの概略構成図である。
【図２８】検出手段として実施し得るフォトセンサスイッチの概略構成図である。
【符号の説明】
１４ 払出し装置
１８ 清流樋(整流路部材)
２０ 第１流通路(球通路)
２１ 第２流通路(球通路)
２７ 検出スイッチ(検出手段)
２８ 球感知操作部材
２９ 板バネ(付勢手段)
４２ アクチュエータレバー(検出部)
４６ 接点(検出部)
５２ 操作部
５３ 球受け部
７７ リードスイッチ(検出手段)
８０ ホール素子スイッチ(検出手段)
８１ ホール素子(検出部)
８４ フォトセンサスイッチ(検出手段)
８５ 発光部(検出部)
８６ 受光部(検出部)
９１ 接点(検出部)
１７ 球容器
１７ａ 球出口
１７ｂ 側壁
２６ ケース
３０ カバー体
３１ 開口部
３２ 支持片
３２ａ 溝
３３ 軸孔
３４ 開口部
３５ 挿通孔
３７ 蓋体
３８ 保持片
４３ 本体
４４ 通孔
４７ 支軸
５１ 支持孔
６５ 係止溝
６６ 係止片
６６ａ 突部
６７ 係止溝
６８ 係止片
ｈ 配線
【図１】
0003924707.tif 000002
【図２】
0003924707.tif 000003
【図３】
0003924707.tif 000004
【図４】
0003924707.tif 000005
【図５】
0003924707.tif 000006
【図９】
0003924707.tif 000007
【図６】
0003924707.tif 000008
【図７】
0003924707.tif 000009
【図８】
0003924707.tif 000010
【図１０】
0003924707.tif 000011
【図１１】
0003924707.tif 000012
【図１２】
0003924707.tif 000013
【図１３】
0003924707.tif 000014
【図１４】
0003924707.tif 000015
【図１５】
0003924707.tif 000016
【図１６】
0003924707.tif 000017
【図１７】
0003924707.tif 000018
【図１８】
0003924707.tif 000019
【図１９】
0003924707.tif 000020
【図２０】
0003924707.tif 000021
【図２１】
0003924707.tif 000022
【図２２】
0003924707.tif 000023
【図２３】
0003924707.tif 000024
【図２４】
0003924707.tif 000025
【図２５】
0003924707.tif 000026
【図２６】
0003924707.tif 000027
【図２７】
0003924707.tif 000028
【図２８】
0003924707.tif 000029